(57)【要約】【課題】本人のみが任意の端末から簡単な操作により自己の携帯端末の機能をロックすることを可能とする。【解決手段】携帯電話端末等の携帯端末１の記憶部１３に、あらかじめ所有者の顔画像データを保存するとともに、携帯端末１の置き忘れや紛失時等に、任意の端末から自分の携帯端末１宛に自分の顔画像データを含む電子メールを送信することで携帯端末１の機能をロックする。携帯端末１の顔認証部１１３はメール受信時に取得される顔画像データと記憶部１３の顔画像データとの顔認証処理を行い、携帯端末１の所有者本人と判定した場合にのみ端末機能のロック（遠隔ロック操作）を実行する。顔画像データを添付ファイルとすると制御側の端末に特殊機能をもたせる必要がなくなる。【選択図】図１
2006324800.tif 000002
【特許請求の範囲】
【請求項１】
端末から送信された遠隔制御用の電子メールにより携帯端末の機能を制御する遠隔制御方法であって、前記携帯端末は受信した電子メールを解析して画像データを抽出し、抽出した画像データと予め登録しておいたバイオメトリクス認証用の画像データとを照合し、一致した場合に少なくとも一部の機能をロックすることを特徴とする遠隔制御方法。
【請求項２】
前記画像データは、携帯端末のユーザ本人の顔画像データ又は虹彩画像データであることを特徴とする請求項１記載の遠隔制御方法。
【請求項３】
前記端末は遠隔制御用の電子メールをカメラで撮影した画像データを添付ファイルとして付加して送信することを特徴とする請求項１又は２記載の遠隔制御方法。
【請求項４】
画像データの照合結果が一致した場合に電子メールの送信者に通知した後、少なくとも送信機能をロックすることを特徴とする請求項１ないし３の何れかの請求項記載の遠隔制御方法。
【請求項５】
遠隔制御用の電子メールには特定の文字列を含み、電子メールの解析による当該文字列の検出時に前記画像データの抽出及び照合が行われることを特徴とする請求項１ないし４の何れかの請求項記載の遠隔制御方法。
【請求項６】
端末から送信された遠隔制御用の電子メールにより携帯端末の機能を制御する遠隔制御方式であって、前記携帯端末は、電子メールを受信するメール受信部と、受信した電子メールを解析して画像データを抽出する解析部と、予めバイオメトリクス認証用の画像データを登録する記憶部と、抽出した画像データと予め登録した画像データとを照合する認証部と、認証が一致した場合に少なくとも一部の機能をロックするロック制御部と、を備えることを特徴とする遠隔制御方式。
【請求項７】
前記画像データは、携帯端末のユーザ本人の顔画像データ又は虹彩画像データであることを特徴とする請求項６記載の遠隔制御方式。
【請求項８】
前記端末は遠隔制御用の電子メールをカメラで撮影した画像データを添付ファイルとして付加して送信することを特徴とする請求項６又は７記載の遠隔制御方式。
【請求項９】
画像データの照合結果が一致した場合に電子メールの送信者に通知するメール送信部を備え、前記ロック制御部は電子メールの送信者への通知後に少なくとも送信機能をロックすることを特徴とする請求項６ないし８の何れかの請求項記載の遠隔制御方式。
【請求項１０】
遠隔制御用の電子メールには特定の文字列を含み、前記解析部が電子メールの解析により当該文字列を検出したとき、前記画像データを抽出し、前記認証部が両画像データの照合を行うことを特徴とする請求項６ないし９の何れかの請求項記載の遠隔制御方式。
【請求項１１】
端末から送信された遠隔制御用の電子メールにより機能が遠隔制御される携帯端末であって、電子メールを受信するメール受信部と、受信した電子メールを解析して画像データを抽出する解析部と、予めバイオメトリクス認証用の画像データを登録する記憶部と、抽出した画像データと予め登録した画像データとを照合する認証部と、認証が一致した場合に少なくとも一部の機能をロックするロック制御部と、を備えることを特徴とする携帯端末。
【請求項１２】
前記画像データは、携帯端末のユーザ本人の顔画像データ又は虹彩画像データであることを特徴とする請求項１１記載の携帯端末。
【請求項１３】
前記端末は遠隔制御用の電子メールをカメラで撮影した画像データを添付ファイルとして付加して送信することを特徴とする請求項１１又は１２記載の携帯端末。
【請求項１４】
画像データの照合結果が一致した場合に電子メールの送信者に通知するメール送信部を備え、前記ロック制御部は電子メールの送信者への通知後に少なくとも送信機能をロックすることを特徴とする請求項１１ないし１３の何れかの請求項記載の携帯端末。
【請求項１５】
遠隔制御用の電子メールには特定の文字列を含み、前記解析部が電子メールの解析により当該文字列を検出したとき、前記画像データを抽出し、前記認証部が両画像データの照合を行うことを特徴とする請求項１１ないし１４の何れかの請求項記載の携帯端末。
【発明の詳細な説明】
【技術分野】
【０００１】
本発明は、携帯端末の遠隔操作に関し、特に携帯電話端末等の携帯端末の遠隔操作方法、遠隔制御方式及び携帯端末に関する。
【背景技術】
【０００２】
近年、携帯電話端末の高機能化、多機能化が進んできている。特にＩＣカード機能の搭載により携帯電話での買い物が可能となり、財布代わりとして利用することもできるようになってきているが、その一方で、端末の置き忘れ、紛失等の際のリスクが従来に比べ増加し問題になっている。
【０００３】
例えば、携帯電話端末を拾得した第三者による不正利用により端末内に保存されている各種個人情報が流出するのみならず、買い物等に利用されることによる金銭的犯罪の発生が懸念されている。
【０００４】
このような問題への対策として、携帯電話端末の電子メール機能を用いて置き忘れ状態等の携帯電話端末に電子メールを送信してその機能の使用を遠隔操作により禁止（以下、遠隔ロック操作という。）することが知られており、この場合、遠隔ロック操作する側（制御側）の確認はセキュリティ上重要である。
【０００５】
従来、遠隔ロック操作の制御側の確認方法としては、受信した電子メールの送信元の電子メールアドレスや、電子メールに記述されているＩＤコードにより携帯電話端末の本来の所有者からの遠隔ロック操作用の電子メールか否かを判断する方法が知られている（特許文献１、２参照）。
【特許文献１】特開２００１−８２７０号公報
【特許文献２】特開２００４−１６６０１３号公報
【発明の開示】
【発明が解決しようとする課題】
【０００６】
前述のように携帯電話端末の置き忘れ等の際に、所有者が遠隔操作により端末機能をロックする遠隔ロック操作機能と、その際の制御側の確認機能を設けることは不可欠である。
【０００７】
しかし、制御側の確認に送信元の電子メールアドレスを利用する方法は、遠隔ロック操作が可能な端末として当該電子メールアドレスを有するものに限定されるため、緊急時に即時に遠隔ロック操作を行うことができないという点で問題がある。また、逆にこの端末からの操作であれば本来の所有者でなくても遠隔ロック操作が可能であるため、他の者が所有者の意に反して端末ロック操作を行うことが可能であるという点でも問題がある。これに対し、電子メールの本文に記述したＩＤコードを利用する方法は任意の端末から可能であるもののＩＤコードの漏洩等の危険性があるという点で問題点がある。
【０００８】
従って、本発明の目的は、上記問題点に鑑みてなされたものであって、本人のみが任意の端末から簡単な操作により自己の端末の機能をロックすることが可能な携帯端末の遠隔操作方法、遠隔制御方式及び携帯端末を提供することにある。
【０００９】
本発明の他の目的は、遠隔ロック操作の本人確認を確実に行うことが可能な携帯端末の遠隔操作方法、遠隔制御方式及び携帯端末を提供することにある。
【００１０】
本発明の他の目的は、認証用の顔画像等の送信に特段の機能が不要で任意の端末から遠隔ロック操作が可能な携帯端末の遠隔操作方法、遠隔制御方式及び携帯端末を提供することにある。
【課題を解決するための手段】
【００１１】
携帯電話端末等の携帯端末に、あらかじめ所有者の顔写真等のデータを保存するとともに、携帯端末の置き忘れや紛失時等に、任意の端末から自分の端末宛に自分の顔写真等のデータを添付した電子メールを送信することで携帯端末の機能をロックする手段を設ける。携帯端末はメール受信時に添付された顔写真データとの顔認証処理を行い、その結果携帯端末の所有者本人と判定した場合にのみ端末機能の遠隔ロック操作を実行する。すなわち、
【００１２】
本発明の遠隔制御方法は、端末から送信された遠隔制御用の電子メールにより携帯端末の機能を制御する遠隔制御方法であって、前記携帯端末は受信した電子メールを解析して画像データを抽出し、抽出した画像データと予め登録しておいたバイオメトリクス認証用の画像データとを照合し、一致した場合に少なくとも一部の機能をロックすることを特徴とする。前記画像データは、携帯端末のユーザ本人の顔画像データ又は虹彩画像データであり、前記端末は遠隔制御用の電子メールをカメラで撮影した画像データを添付ファイルとして付加して送信する。また、画像データの照合結果が一致した場合に電子メールの送信者に通知した後、少なくとも送信機能をロックする。更に、遠隔制御用の電子メールには特定の文字列を含み、電子メールの解析による当該文字列の検出時に前記画像データの抽出及び照合が行われる。
【００１３】
本発明の遠隔制御方式は、端末から送信された遠隔制御用の電子メールにより携帯端末の機能を制御する遠隔制御方式であって、前記携帯端末は、電子メールを受信するメール受信部と、受信した電子メールを解析して画像データを抽出する解析部と、予めバイオメトリクス認証用の画像データを登録する記憶部と、抽出した画像データと、予め登録した画像データとを照合する認証部と、認証が一致した場合に少なくとも一部の機能をロックするロック制御部と、を備えることを特徴とし、本発明の携帯端末は、端末から送信された遠隔制御用の電子メールにより機能が遠隔制御される携帯端末であって、電子メールを受信するメール受信部と、受信した電子メールを解析して画像データを抽出する解析部と、予めバイオメトリクス認証用の画像データを登録する記憶部と、抽出した画像データと、予め登録した画像データとを照合する認証部と、認証が一致した場合に少なくとも一部の機能をロックするロック制御部と、を備えることを特徴とする。
【００１４】
そして、画像データは携帯端末のユーザ本人の顔画像データ又は虹彩画像データであり、前記端末は遠隔制御用の電子メールをカメラで撮影した画像データを添付ファイルとして付加して送信する。また、画像データの照合結果が一致した場合に電子メールの送信者に通知するメール送信部を備え、前記ロック制御部は電子メールの送信者への通知後に少なくとも無線部等の送信機能をロックする。更に、遠隔制御用の電子メールには特定の文字列を含み、前記解析部が電子メールの解析により当該文字列を検出したとき、前記画像データを抽出し、前記認証部が両画像データの照合を行う。
【００１５】
本発明は、特定のフォーマットに従った電子メールを遠隔ロック操作用メールとして扱うことができ、自携帯端末（置き忘れ等のときにロック制御する端末）に、該電子メールの添付ファイルを処理して抽出し、該添付ファイルの顔画像等のデータと予め記録してある顔画像等のデータとを照合する機能を持たせ、本人認証を行った後、自携帯端末の遠隔ロック操作を可能とし、更に遠隔ロック操作に成功したことをメール送信者に通知可能とする。
【発明の効果】
【００１６】
本発明によれば、携帯電話端末やパソコン等、任意の端末から自携帯端末に対して認証用の顔画像データを含む電子メールを送信することにより遠隔ロック操作が行えるから自携帯端末の遠隔ロック操作を容易に行うことが可能である。
【００１７】
また、送信した電子メールに顔画像や虹彩画像等のデータと自携帯端末に登録しておいた顔画像や虹彩画像等のデータの間で顔認証処理を行い本人の確認を行うことにより本人のみが遠隔ロック操作を行うことが可能である。つまり、電子メールに添付した顔写真等を用いて顔認証処理を行うことから、携帯端末所有者以外の者が本人の意に反して端末機能をロックするような他人による自携帯端末の遠隔操作を防止できる。
【００１８】
また、認証用の画像データをコード化して電子メール本文に含めることが可能であるが、電子メールの添付ファイルとして送信することにより、そのための特殊機能（画像を符号化し本文に挿入するための専用のソフト等）は不要であり遠隔ロック操作を行うための端末として通常のカメラ付きの携帯電話端末等をそのまま使用することが可能となり、また操作も撮影した顔画像データの添付ファイル付き電子メールの送信という通常の端末操作により行うことが可能となる。
【００１９】
特に、本人確認は添付ファイルの顔画像データ等により顔認証等により行うものであるから、電子メールの送信元に関する制約はないから、任意のメール送信機能を有する携帯電話端末やパソコン等の端末からの遠隔ロック操作が可能になる。
【００２０】
更に、顔認証処理に成功した場合、確実にロック制御が実行されるからメール送信元アドレスに遠隔ロック操作が成功した旨を表す電子メール等による返信通知を送信することにより、ユーザ本人が遠隔ロック操作に成功したことを確認することが可能である。
【発明を実施するための最良の形態】
【００２１】
本発明の携帯端末の遠隔操作方法、遠隔制御方式及び携帯端末の一実施の形態として携帯電話端末の例を以下説明する。
（構成の説明）
図１は本実施の形態の携帯電話端末のブロック構成を示す図である。本実施の形態の携帯電話端末１はプログラム制御により動作する制御部１１、ネットワークＮＷに対して無線信号を送受信する無線部１２、設定値等や各種データを保持する記憶部１３から構成される。
【００２２】
制御部１１は、制御用の電子メールを含む電子メールの受信を行うメール受信部１１１、電子メールのフォーマット等を解析し、顔画像のデータを抽出する解析部１１２、顔画像による認証を行う顔認証部１１３、返信メール等の電子メールを送信するメール送信部１１４及び携帯電話端末の発信等の機能を禁止するロック制御部１１５を備える。
【００２３】
無線部１２はネットワーク及び無線基地局を経由して受信される信号を制御部１１に出力し、また制御部１１から入力した電子メールを無線基地局及びネットワークに送信する。
【００２４】
記憶部１３は電子メール解析用のフォーマット情報等を含むユーザ（携帯電話端末の所有者）の設定した値やデータ等を保持する機能を有し、特に、ユーザはあらかじめ自分の顔写真を撮影して、顔画像のデータを記憶部１３に保存し、制御部１１からの要求により、該顔画像データを出力する記憶、再生機能を有する。
【００２５】
以下、制御部１１の各部のより詳細な構成、機能を説明する。  
メール受信部１１１は無線部１２から入力した電子メールの受信処理を行う。  
解析部１１２はメール受信部１１１にて受信した電子メールの内容・フォーマットを解析し、例えば添付ファイルから画像データを抽出する。
【００２６】
顔認証部１１３は電子メールに含まれる画像データと、記憶部１３にあらかじめ保存されている画像データとの間で顔認証処理を行う。
【００２７】
メール送信部１１４は顔認証部１１３での顔認証の結果（顔認証の成功又は失敗）に基づき返信用の電子メールを無線部１２を介して出力する送信処理を行う。
【００２８】
ロック制御部１１５は携帯電話端末の各種の機能の何れか又は全ての機能を禁止し、携帯電話端末の操作をできなくする等のロック制御を行う。
【００２９】
図２は本実施の形態の制御側の端末のブロック構成を示す図である。制御側の端末２１は通常のカメラ付き携帯電話端末、パソコン等でよく、同図はカメラ付き携帯電話端末の電子メール機能部分を示す図である。プログラム制御により動作する制御部２１、ネットワークＮＷに対して無線信号を送受信する無線部２２、撮影用のカメラ部２３から構成され、制御部２１は電子メールの受信を行うメール受信部２１１、画像データを添付ファイルとして付加した電子メールを作成するメール作成部２１２、電子メールを送信するメール送信部２１３を備える。
【００３０】
カメラ付き携帯電話端末２からの遠隔ロック操作用の電子メールの作成は通常の操作により実現可能である。つまり、カメラ部２３でユーザ自身の顔写真等を撮影し、メール作成部２１２で作成した電子メールに例えば添付ファイルとして顔画像データを付加し、メール送信部２１４から電子メールデータを出力し、無線部２２から無線基地局及びネットワークＮＷに送信する。この際、メール本文等に所定の文字列等のロック制御の情報を通常のメール文の作成操作で挿入することができる。
【００３１】
（動作の説明）
次に図１、３を参照して本実施の形態の動作の詳細について説明する。図３は携帯電話端末１内の処理フローチャートを示している。  
まず、ネットワークＮＷから電子メールが受信されると、無線部１２は当該電子メールをメール受信部１１１に出力し、メール受信部１１１はメールデータを取得する（ステップＡ１）。  
メール受信部１１１は取得した電子メールのメールデータを解析部１１２へ渡し、解析部１１２は記憶部１３からの電子メール解析用の情報に基づきメールデータの内容の解析を行う。
【００３２】
解析部１１２は本電子メールのフォーマットを解析し、遠隔ロック操作用の特定のフォーマットを有するメールか否かの判定処理を行う（ステップＡ２）。本実施の形態ではこの判定処理として、受信したメールデータにより本電子メールに画像データが添付ファイルとして付加されているか否かを判定し、添付ファイルとして画像データが付加されている場合には、当該添付ファイルを取得し、顔認証部１１３に出力する（ステップＡ３）。なお、添付ファイルとして画像データが付加されていない場合は通常の電子メールと同様の受信処理を行い終了する。
【００３３】
顔認証部１１３は添付ファイルとして画像データが付加されている場合にステップＡ３にて取得した画像データと、ユーザ（携帯電話端末の保有者）があらかじめ自分の顔写真を撮影して記憶部１３に保持している画像データを顔認証処理により照合し（ステップＡ４）、顔認証処理により電子メールに添付されてきた顔画像とあらかじめ保存されている顔画像とが同一人物のものであるか否かを判定する（ステップＡ５）。なお、顔認証部１１３での認証結果、認証に失敗した場合（同一人物のものでないと判定した場合）は通常の電子メールと同様の受信処理を行い終了する。
【００３４】
認証に成功した場合は、メール送信部１１４は、本遠隔ロック操作用の電子メールの送付元のアドレスに対して、認証に成功した旨又は遠隔ロックに成功した旨を電子メールにより通知する（ステップＡ６）。これにより遠隔ロック操作を行ったユーザに対し遠隔ロック操作に成功したことを知らせる。
【００３５】
その後、ロック制御部１１５は携帯電話端末の予め決めてあるロック処理又はメール本文に挿入されたロック情報に基づくロック処理を行い、当該携帯電話端末に対する以降の操作を受け付けない等の状態にする（ステップＡ７）。
【００３６】
以降のロックの解除処理については同様の認証方法、パスワードまたはその他認証方法にて行うが、ここではその方法については問わない。  
以上の処理により、ユーザが自分の顔写真の画像データを添付した遠隔ロック用電子メールを自分の携帯電話端末に送信することにより、該携帯電話端末をロックすることが可能となる。
【００３７】
（他の実施の形態２）
先の実施の形態では、ステップＡ２での判定条件は自己の顔画像データの添付の有無のみとし、遠隔ロック用電子メールか否かを判定するようにした例を示したが、例えば、電子メールの題名または本文中に特定の文字列を含めて遠隔ロック用電子メールか否かを判定できるようにすることも可能である。
【００３８】
本実施の形態の動作も、基本的に図３に示すフローチャートで実現可能であるが、ここでユーザはあらかじめ特定の文字列を設定して記憶部１３に保持しておき、解析部１１２では受信した電子メールのメールデータを解析し、電子メールのフォーマットを判断するステップＡ２では最初に記憶部１３の該文字列を参照して電子メールの題名または本文中にこの文字列が存在するか否かを判断し、遠隔ロック操作用電子メールか否かを判定する。
【００３９】
つまり、解析部１１２は、電子メール受信後、ステップＡ２にて遠隔ロック操作用の電子メールでないと判定した場合は、通常の電子メールと同様の受信処理を実行し処理を終了するが、遠隔ロック操作用の電子メールと判定した場合は、電子メールから画像データの添付ファイルを抽出して取得し、顔認証部１１３に出力する（ステップＡ３）。
【００４０】
顔認証部１１３は解析部１１２から取得した画像データと、記憶部１３にて保持している画像データとにより顔認証処理にて照合する（ステップＡ４）。  
その後の顔認証処理、メール送信及び端末ロック等のステップＡ４〜Ａ７の処理動作は前述の実施の形態と同様である。
【００４１】
（他の実施の形態３）
また、以上の実施の形態では本人であることの認証手段として顔認証を使用しているが、本発明は顔以外のバイオメトリクス認証（生体認証）を使用して実施することが可能である。
【００４２】
例えば、虹彩認証（瞳孔の大きさを調整する筋肉の紋様により個人を特定する方法）を使用する場合も、先の実施の形態と同様の手順にて実施することができる。
【００４３】
すなわち、虹彩認証においては、ユーザはあらかじめ自分の瞳孔部分を撮影して記憶部１３に登録しておき、遠隔ロック操作を行う場合にカメラで撮影した自分の顔写真（瞳孔部分）を自端末に電子メールで送信する。
【００４４】
この場合、制御部１１での処理は虹彩認証となる点が先の実施の形態と異なり、ステップＡ４の顔認証の替わりに虹彩認証を行い、その認証結果により携帯電話端末の機能をロックするか否かを決定するように構成する。
【００４５】
（他の実施の形態）
また、本発明の認証情報である画像データの送信方法として、電子メールの添付ファイルにより送信する例を説明したが、画像データを符号化する等してメール本文で送信するように構成することも可能である。この場合、遠隔ロック用電子メールとしては、例えばメールの題名又は本文中に特定の文字列を挿入するとともに、符号化した画像データを所定個所に挿入した特定フォーマットとし、制御部１１は電子メールの受信時に特定の文字列の有無を判断し、該文字列が存在する場合に遠隔ロック用電子メールとして認識し、所定個所の符号化データを抽出して、記憶部１３に予め保存してある顔画像等の符号化データとの照合を行うことにより、本来のユーザか否かを判断するように構成する。
【００４６】
更に、本発明はユーザへのロック制御の通知は認証成功時に行う代わりに、実際のロック制御完了時に、ロック後の当該電子メールの送信のみは動作可能に構成することにより、ロック制御完了時にユーザに送信するように構成することも可能である。
【００４７】
また、ロック制御の対象機能としては送受話やメール送受等の送受信機能の他に個人情報の漏洩の危険を伴うメモ帳、住所録、メール機能や、金銭的な損害を伴う電子決済機能等に適用可能である。更に、本発明は携帯電話端末に限られるものではなく、携帯情報端末等に適用可能であることはいうまでもない。
【図面の簡単な説明】
【００４８】
【図１】本発明の一実施の形態の携帯電話端末の構成例を示す図である。
【図２】本実施の形態の制御側の端末のブロック構成を示す図である。
【図３】本実施の形態の動作のフローチャートを示す図である。
【符号の説明】
【００４９】
１１、２１  制御部
１２、２２  無線部
１３  記憶部
１１１、２１１  メール受信部
１１２  解析部
１１３  顔認識部
１１４、２１３  メール送信部
１１５  ロック制御部
２３  カメラ部
２１２  メール作成部
【図１】
2006324800.tif 000003
【図２】
2006324800.tif 000004
【図３】
2006324800.tif 000005